(57)【要約】【課題】車両用空調システムにおいて、空調の開始時刻の適正化を図ることで、乗車前の空調による電力消費を抑制することにある。【解決手段】入力装置１５，４５の操作を通じて、乗車予定時刻が入力される。例えば、電気自動車２の入力装置４５により乗車予定時刻が入力された場合、車載制御部２１は、乗車予定時刻に基づき開始予定時刻を算出する。車載制御部２１は、時間の計測を開始し、このときから開始予定時刻までの時間に達したとき、位置確認信号の送信を通じて、電子キー１０との通信が成立するか否か、すなわち、ユーザに携帯される電子キー１０が通信エリアに存在するか否かを判断する。車載制御部２１は通信が成立しない場合、ユーザに携帯される電子キー１０が通信エリア内に存在しない、すなわち、乗車予定時刻に乗車できないとして、開始予定時刻を延期する。【選択図】図１
2011148325.tif 000002
【特許請求の範囲】
【請求項１】
ユーザに携帯される携帯機と車両との間での通信により車内の空気環境を整える制御を実行する車両用空調システムにおいて、
前記車両及び前記携帯機の少なくとも一方に設けられ、ユーザの操作によって乗車予定時刻が入力される入力装置と、
前記車両及び前記携帯機に設けられ、ユーザが乗車予定時刻に乗車可能な前記携帯機及び前記車両間の距離を基準に設定される通信エリア内での無線信号の送受信を通じて、前記携帯機及び前記車両間で通信を行うとともに、前記入力装置を通じて入力される乗車予定時刻に基づき車内の空気環境を整える制御の開始予定時刻を算出する制御装置と、を備え、
前記入力装置が設けられる前記車両又は前記携帯機における制御装置は、前記開始予定時刻に達したとき、前記車両及び前記携帯機間で通信を行い、通信が成立したときユーザが乗車予定時刻に乗車できるとして車内の空気環境を整えるべく制御が開始され、通信が成立しないときユーザが乗車予定時刻に乗車できないとして車内の空気環境を整える制御の実行が中止又は前記開始予定時刻が延期される車両用空調システム。
【請求項２】
請求項１に記載の車両用空調システムにおいて、
車両は電気エネルギを利用して走行可能であって、
商用電源からの電力に基づき前記車両を充電する充電装置を備え、
前記入力装置が設けられる前記車両における制御装置は、前記開始予定時刻に達したときであって、前記車両と通信が成立した場合に、前記充電装置からの電力を使用して車内の空気環境を調整する制御を実行する車両用空調システム。
【請求項３】
請求項２に記載の車両用空調システムにおいて、
前記携帯機及び車両に設けられ、衛星を介して自身の位置情報を取得する位置情報取得部と、
前記携帯機及び前記充電装置に設けられ、ネットワークを介してサーバと無線通信を行うネット通信部と、
前記車両及び前記充電装置間で電力が送電される充電ケーブルと、
前記車両及び前記充電装置に設けられ、前記充電ケーブルに供給される電力に情報信号を重畳、及び電力に重畳された情報を復調することで前記車両及び前記充電装置間で電力線搬送通信を可能とするＰＬＣモデムと、を備え、
前記入力装置が設けられる前記携帯機における制御装置は、前記開始予定時刻に達したときであって前記車両との通信が成立しない場合、前記携帯機の前記位置情報取得部を通じて携帯機の位置情報を取得して、この取得した位置情報を前記携帯機の前記ネット通信部から前記サーバを通じて前記充電装置の前記ネット通信部に送信し、
前記充電装置は、前記ネット通信部を通じて取得した前記位置情報を電力線搬送通信にて前記車両に送信し、
前記入力装置が設けられる前記車両における制御装置は、前記開始予定時刻に達したときであって前記携帯機との通信が成立しない場合、前記車両の前記位置情報取得部を通じて車両の位置情報を取得して、この取得した位置情報を、電力線搬送通信を通じて前記充電装置に送信し、
前記充電装置は、取得した前記車両の位置情報を前記充電装置の前記ネット通信部から前記サーバを通じて前記携帯機の前記ネット通信部を介して前記携帯機に送信し、
前記車両又は前記携帯機の制御装置は、前記携帯機及び前記車両の位置情報に基づき、乗車予定時刻を中止又は延期する車両用空調システム。
【請求項４】
請求項３に記載の車両用空調システムにおいて、
前記充電装置は乗車予定時刻を入力する入力装置と、前記入力装置を通じて入力される乗車予定時刻に基づき車内の空気環境を整える制御の開始予定時刻を算出する制御装置と、を備え、
前記充電装置の前記制御装置は、前記開始予定時刻に達したとき、前記電力線搬送通信にて、その旨を前記車両に伝達し、
前記車両の前記制御装置は、前記開始予定時刻に達した旨認識すると、車内の空気環境を整える制御を開始する車両用空調システム。
【発明の詳細な説明】
【技術分野】
【０００１】
この発明は、乗車の事前に空調を行う車両用空調システムに関する。
【背景技術】
【０００２】
従来、車両用の空調システムは、車載バッテリを電力源として、車室内の冷暖房、換気等の空調を行っていた。この車載バッテリの電力は、空調システムのみならず様々な用途に使用されている。特に、近年、電気自動車やハイブリッド車のように、車載バッテリの電力を走行に利用する技術が注目されている。このように、車載バッテリの電力への需要は高まっているものの、車載バッテリの容量には限界があるため、消費できる電力量にも制限がある。
【０００３】
ここで、乗車した直後である走行開始時においては、現在の室温と設定室温との温度差が最も大きいため、ユーザの快適性の観点から急速な冷暖房が望まれる。しかし、電気自動車等の走行開始時においては、車載バッテリの電力は、冷暖房のみならず走行を開始するためにも費やされるため、冷暖房に十分な電力を費やせず、急速な冷暖房が困難な場合が想定される。従って、室温等の調整により車内の快適性が確保されるまで長時間要する場合がある。また、走行に必要とされる車載バッテリの電力が冷暖房に費やされるため、電気自動車の航続可能距離が減少する。
【０００４】
そこで、特許文献１には、乗車前の車載バッテリの充電中に空調を行う電気自動車用の事前空調システムが開示されている。具体的には、車載バッテリの充電中において、例えば、電子キー等のキー操作により車両に事前の空調の要求が無線通信を通じてなされると、乗車予定時に空調が完了するように、事前に空調が開始される。これにより、乗車時には、快適な車内の空気環境が実現されている。よって、乗車直後のユーザの暑さ又は寒さに伴う不快感を低減することができる。また、乗車時に快適な車内の空気環境が実現されているところ、乗車後の空調に要する車載バッテリの電力消費を抑制できる。これにより、より多くの車載バッテリの電力を走行に費やせるため、電気自動車の航続可能距離を伸ばすことができる。また、特に走行開始時の空調による電気自動車の走行への影響を最小限に抑えることができる。
【先行技術文献】
【特許文献】
【０００５】
【特許文献１】特開平８−２６８０３６号公報
【発明の概要】
【発明が解決しようとする課題】
【０００６】
ところで、上記特許文献１に記載の事前空調システムにおいて、事前の空調が完了した際、すなわち、快適な車内の空気環境が実現された際に乗車できない場合がある。例えば、
ユーザが電子キーを使用して乗車予定時に空調が完了するように予約したものの、ユーザの都合により乗車予定時に乗車できない場合がある。このような場合には、事前の空調に費やした車載バッテリの電力は無駄になってしまう。
【０００７】
ここで、ユーザがキー操作により事前空調の予約を解除することも可能である。しかし、ユーザが乗車予定時に乗車できない状況においては、携帯機を携帯するユーザが車両から遠く離れて、携帯機及び車両間の通信が不能な場合が多く、事前空調の予約の解除は困難である。
【０００８】
なお、こうした問題は電気自動車に限らず事前空調システムを搭載した車両全般に共通して生じうる。
この発明は、こうした実情に鑑みてなされたものであり、その目的は、空調の開始時刻の適正化を図ることで、乗車前の空調による電力消費を抑制することができる車両用空調システムを提供することにある。
【課題を解決するための手段】
【０００９】
以下、上記目的を達成するための手段及びその作用効果について説明する。
請求項１に記載の発明は、ユーザに携帯される携帯機と車両との間での通信により車内の空気環境を整える制御を実行する車両用空調システムにおいて、前記車両及び前記携帯機の少なくとも一方に設けられ、ユーザの操作によって乗車予定時刻が入力される入力装置と、前記車両及び前記携帯機に設けられ、ユーザが乗車予定時刻に乗車可能な前記携帯機及び前記車両間の距離を基準に設定される通信エリア内での無線信号の送受信を通じて、前記携帯機及び前記車両間で通信を行うとともに、前記入力装置を通じて入力される乗車予定時刻に基づき車内の空気環境を整える制御の開始予定時刻を算出する制御装置と、を備え、前記入力装置が設けられる前記車両又は前記携帯機における制御装置は、前記開始予定時刻に達したとき、前記車両及び前記携帯機間で通信を行い、通信が成立したときユーザが乗車予定時刻に乗車できるとして車内の空気環境を整えるべく制御が開始され、通信が成立しないときユーザが乗車予定時刻に乗車できないとして車内の空気環境を整える制御の実行が中止又は前記開始予定時刻が延期されることをその要旨としている。
【００１０】
同構成によれば、車両又は携帯機の入力装置の操作を通じて、乗車予定時刻が入力される。例えば、車両の入力装置により乗車予定時刻が入力された場合、車両の制御装置は、乗車予定時刻に基づき開始予定時刻を算出する。当該制御装置は、開始予定時刻に達したとき、無線信号の送信を通じて、携帯機との通信が成立するか否か、すなわち、ユーザに携帯される携帯機が通信エリアに存在するか否かを判断する。ここで、通信エリアは、ユーザが乗車予定時刻に乗車可能な携帯機及び車両間の距離を基準に設定されている。当該制御装置は、通信が成立した場合、ユーザに携帯される電子キーが通信エリア内にいて乗車予定時刻に乗車できるとして、空調制御を実行する。また、当該制御装置は通信が成立しない場合、ユーザが通信エリア内に存在しない、すなわち、乗車予定時刻に乗車できないとして、空調制御を中止、又は開始予定時刻を延期する。
【００１１】
また、携帯機の入力装置により乗車予定時刻が入力された場合、携帯機の制御装置は、上記同様に、乗車予定時刻に基づき開始予定時刻を算出する。当該制御装置は、開始予定時刻に達したとき、無線信号の送信を通じて、車両との通信が成立するか否か、すなわち通信エリア内に車両が存在するか否かを判断する。通信が成立した場合、上記同様に、車両の制御装置は空調制御を実行する。通信が成立しない場合、車両の制御装置は、そもそも開始予定時刻に達したことを認識できないため空調制御を実行しない。これにより、結果的に開始予定時刻に開始が予定されていた制御が中止される。
【００１２】
このように、乗車予定時刻にユーザが乗車できない場合には、開始予定時刻における空調の実行を中止したり、空調の開始予定時刻を延期したりすることで、乗車予定時刻の適正化が図られる。従って、ユーザが乗車しないにも関わらず予め入力された乗車予定時刻に合わせて、空調が行われることが抑制される。これにより、乗車前の空調による電力消費を抑制することができる。
【００１３】
請求項２に記載の発明は、請求項１に記載の車両用空調システムにおいて、車両は電気エネルギを利用して走行可能であって、商用電源からの電力に基づき前記車両を充電する充電装置を備え、前記入力装置が設けられる前記車両における制御装置は、前記開始予定時刻に達したときであって、前記車両と通信が成立した場合に、前記充電装置からの電力を使用して車内の空気環境を調整する制御を実行することをその要旨としている。
【００１４】
同構成によれば、乗車前、すなわち開始予定時刻における空調は、商用電源からの電力により実行される。よって、乗車前の空調による車載バッテリの電力消耗を防止できる。さらに、車両の走行開始時においては、すでに空調は完了しているため空調に費やす車載バッテリの電力を低減することができる。
【００１５】
請求項３に記載の発明は、請求項２に記載の車両用空調システムにおいて、前記携帯機及び車両に設けられ、衛星を介して自身の位置情報を取得する位置情報取得部と、前記携帯機及び前記充電装置に設けられ、ネットワークを介してサーバと無線通信を行うネット通信部と、前記車両及び前記充電装置間で電力が送電される充電ケーブルと、前記車両及び前記充電装置に設けられ、前記充電ケーブルに供給される電力に情報信号を重畳、及び電力に重畳された情報を復調することで前記車両及び前記充電装置間で電力線搬送通信を可能とするＰＬＣモデムと、を備え、前記入力装置が設けられる前記携帯機における制御装置は、前記開始予定時刻に達したときであって前記車両との通信が成立しない場合、前記携帯機の前記位置情報取得部を通じて携帯機の位置情報を取得して、この取得した位置情報を前記携帯機の前記ネット通信部から前記サーバを通じて前記充電装置の前記ネット通信部に送信し、前記充電装置は、前記ネット通信部を通じて取得した前記位置情報を電力線搬送通信にて前記車両に送信し、前記入力装置が設けられる前記車両における制御装置は、前記開始予定時刻に達したときであって前記携帯機との通信が成立しない場合、前記車両の前記位置情報取得部を通じて車両の位置情報を取得して、この取得した位置情報を、電力線搬送通信を通じて前記充電装置に送信し、前記充電装置は、取得した前記車両の位置情報を前記充電装置の前記ネット通信部から前記サーバを通じて前記携帯機の前記ネット通信部を介して前記携帯機に送信し、前記車両又は前記携帯機の制御装置は、前記携帯機及び前記車両の位置情報に基づき、乗車予定時刻を中止又は延期することをその要旨としている。
【００１６】
車両及び携帯機間での通信は、無線信号を利用して行われるため、通信距離には限度がある。上記構成によれば、開始予定時刻において車両及び携帯機間の通信が成立しないとき、携帯機及び車両の位置情報に基づき、乗車予定時刻に乗車できない旨判断される場合、乗車予定時刻が中止又は延期される。
【００１７】
このように、車両及び携帯機間で通信が成立しない場合であれ、携帯機の位置が認識可能であるため、携帯機の位置に適して乗車予定時刻が中止又は延期される。よって、さらなる乗車予定時刻の適正化、ひいては乗車前の空調による電力消費を抑制することができる。
【００１８】
請求項４に記載の発明は、請求項３に記載の車両用空調システムにおいて、前記充電装置は乗車予定時刻を入力する入力装置と、前記入力装置を通じて入力される乗車予定時刻に基づき車内の空気環境を整える制御の開始予定時刻を算出する制御装置と、を備え、前記充電装置の前記制御装置は、前記開始予定時刻に達したとき、前記電力線搬送通信にて、その旨を前記車両に伝達し、前記車両の前記制御装置は、前記開始予定時刻に達した旨認識すると、車内の空気環境を整える制御を開始することをその要旨としている。
【００１９】
同構成によれば、充電装置における入力装置にて乗車予定時刻が入力されると、充電装置の制御装置により同乗車予定時刻に基づき開始予定時刻が算出される。この開始予定時刻に達したとき、電力線搬送通信にて車両にその旨が伝達され、車両にて空調が開始される。このように、車両及び携帯機のみならず、充電装置にて乗車予定時刻の入力が可能となることで、利便性が向上する。
【発明の効果】
【００２０】
本発明によれば、車両用空調システムにおいて、空調の開始時刻の適正化を図ることで、乗車前の空調による電力消費を抑制することができる。
【図面の簡単な説明】
【００２１】
【図１】車両用空調システムの構成図。
【図２】車両を中心とした通信エリアを示す上面図。
【図３】開始予定時刻の算出態様を示す室温及び時間のグラフ。
【図４】車両の位置及び電子キーの位置を示す上面図。
【図５】車両、電子キー及び充電スタンドの通信態様を示す説明図。
【図６】車載制御部が実行する制御プログラムの処理手順を示すフローチャート。
【図７】キー制御部が実行する制御プログラムの処理手順を示すフローチャート。
【図８】充電制御部が実行する制御プログラムの処理手順を示すフローチャート。
【発明を実施するための形態】
【００２２】
以下、本発明を具体化した車両用空調システムの一実施形態について図１〜図８を参照して説明する。
図１に示すように、車両用空調システムは、電気自動車２と、電子キー１０と、充電スタンド３０と、サーバ６０とを備える。
【００２３】
電子キー１０は、電気自動車２に搭載される車載機２０との無線通信を通じて、電気自動車２の車両ドアの施解錠を可能とする。
具体的には、電子キー１０は、キー制御部１１を備える。キー制御部１１には施錠スイッチ１７と、解錠スイッチ１６と、送信部１３と、受信部１２とが電気的に接続されている。
【００２４】
施錠スイッチ１７及び解錠スイッチ１６がユーザによって操作されると、その旨の操作信号がキー制御部１１に出力される。キー制御部１１は、解錠スイッチ１６が操作された旨の操作信号を認識すると、解錠要求信号を送信部１３に出力する。解錠要求信号には、メモリ１１ａに記憶されるＩＤコードが含まれる。そして、送信部１３は、解錠要求信号をＵＨＦ帯の無線信号に変調して、同解錠要求信号を送信する。同様に、キー制御部１１は、施錠スイッチ１７が操作された旨の操作信号を認識した場合、送信部１３を通じて、ＩＤコードを含むＵＨＦ帯の施錠要求信号を送信する。また、キー制御部１１は、後述する事前空調の開始予定時刻ｔ１までの時間Ｔ１１に達したか否かを測定するタイマ１１ｂを備える。
【００２５】
車載機２０は、車載制御部２１を備える。車載制御部２１には、車載受信部２２と、車載送信部２３と、ドアロック装置２８とが電気的に接続されている。
車載制御部２１は、ＩＤコード等が記憶されるメモリ２１ａと、後述する事前空調の開始予定時刻ｔ１までの時間Ｔ１１に達したか否かを測定するタイマ２１ｂとを備える。車載制御部２１は、車載受信部２２を通じて、解錠要求信号を受信すると、自身のメモリ２１ａに記憶されるＩＤコードと、解錠要求信号に含まれるＩＤコードとの照合を行い、この照合が成立したとき、ドアロック装置２８を通じて車両ドアを解錠する。施錠要求信号を受信した場合も同様に、車載機２０は、同様ＩＤコード照合を行い、この照合が成立したときにドアロック装置２８を通じて車両ドアを施錠する。
【００２６】
また、車載機２０は、電子キー１０との無線通信を通じて、電子キー１０の電気自動車２に対する位置を確認することができる。すなわち、車載制御部２１は、事前空調の開始予定時刻ｔ１までの時間Ｔ１１に達したとき、車載送信部２３を通じて、ＵＨＦ帯の無線信号である位置確認信号Ｓ１を送信する。この位置確認信号Ｓ１は、図２に示すように、ユーザに携帯される電子キー１０の位置を確認するべく、電気自動車２を中心に円形に形成される半径５０ｍ〜１００ｍ程度の通信エリア９０内に送信される。この通信エリアの形状及び大きさは、通信環境により変化する。電子キー１０が通信エリア９０に存在する場合、キー制御部１１は、受信部１２を通じて位置確認信号Ｓ１を受信する。キー制御部１１は、受信信号が位置確認信号Ｓ１である旨認識すると、送信部１３を通じてＵＨＦ帯の無線信号である位置確認信号Ｓ２を送信する。このように、両位置確認信号Ｓ１，Ｓ２のやり取りによる通信が成立したとき、通信エリア９０に電子キー１０が存在する旨判断される。
【００２７】
ここで、図２に示すように、充電スタンド３０は、住宅において、例えば、駐車場に設置される。充電スタンド３０と電気自動車２との間を充電ケーブル３７により接続することで、電気自動車２が充電可能状態となる。この状態において、充電スタンド３０から充電ケーブル３７を介して電気自動車２に電力が供給されて、電気自動車２が充電される。このように、充電スタンド３０は住宅に設けられるところ、充電可能状態における電気自動車２が形成する通信エリア９０は住宅も含むことになる。よって、ユーザが住宅内にいる場合には、位置確認信号Ｓ２が返信され、電子キー１０が車両周辺に存在する旨判断される。
【００２８】
また、電気自動車２には、ＨＶＡＣ(Heating  Ventilating  Air  Conditioning)システム２７が搭載されている。ＨＶＡＣシステム２７は、冷房、暖房及び換気等の空調を通して、車内の空気環境を調整するシステムである。具体的には、ＨＶＡＣシステム２７は、ＨＶＡＣコントローラ４１と、温度センサ４３と、入力装置４５と、空調部４２とからなる。なお、ＨＶＡＣコントローラ４１は車載制御部２１の一部として機能する。
【００２９】
入力装置４５は、例えば、運転席からユーザによって操作可能な複数のスイッチからなり、これらスイッチ操作に応じて操作信号がＨＶＡＣコントローラ４１に出力される。ユーザは、入力装置４５の操作を通じて、事前空調の予約を行う。ここで、事前空調とは、ユーザの乗車前から冷房、暖房及び換気等を開始することである。この事前空調によれば、乗車時に快適な車内の空気環境を提供することが可能となる。電気自動車２が充電可能状態のとき、図１に示すように、事前空調は充電スタンド３０の電力供給源である商用電源３９の電力を利用して行われる。このため、事前空調により車載されるバッテリユニット２９の電力が消耗することはない。
【００３０】
事前空調の予約の際には、乗車予定時刻ｔ２及び希望室温Ｔ１の入力を行う。温度センサ４３は、現在の室温Ｔｎを検出するとともに、検出結果をＨＶＡＣコントローラ４１に出力する。ＨＶＡＣコントローラ４１は、入力装置４５からの操作信号に基づき、乗車予定時刻ｔ２及び希望室温Ｔ１を認識し、温度センサ４３の検出結果に基づき現在の室温Ｔｎを認識する。ＨＶＡＣコントローラ４１は、乗車予定時刻ｔ２に室温Ｔｎを希望室温Ｔ１とするための事前空調の開始予定時刻ｔ１を算出する。
【００３１】
具体的には、図３に示すように、現在の室温Ｔｎから希望室温Ｔ１とするためには、所定時間Ｔ１０を要する。この所定時間Ｔ１０はＨＶＡＣシステム２７の冷暖房能力等に基づき変わる。ＨＶＡＣシステム２７の冷暖房能力が高いほど、短時間で希望室温Ｔ１とすることができるため所定時間Ｔ１０は短くなる。乗車予定時刻ｔ２から所定時間Ｔ１０だけ差し引くことで、事前空調の開始予定時刻ｔ１を算出することが可能となる。なお、図３には、事前の冷房が行われる場合を示したが、事前の暖房が行われる場合も同様である。ここで、開始予定時刻ｔ１及び乗車予定時刻ｔ２は、現在を基準とした時刻であり、例えば、乗車予定時刻ｔ２が現在から２時間後に設定され、所定時間Ｔ１０が３０分間であった場合、開始予定時刻ｔ１が現在から１時間３０分後であると算出される。この場合、現在から開始予定時刻ｔ１までの時間Ｔ１１が１時間３０分となる。
【００３２】
そして、車載制御部２１は、タイマ２１ｂを通じて時間Ｔ１１に達するまで待機する。前述のように、車載制御部２１は、図５の左側に示すように、時間Ｔ１１となったときに、車載送信部２３を通じて、位置確認信号Ｓ１を送信する。これにより、電気自動車２の周辺に電子キー１０が存在するか否か判断される。すなわち、位置確認信号Ｓ２の返信があった場合、電気自動車２の周辺に電子キー１０が存在する旨判断され、位置確認信号Ｓ２の返信がない場合、電気自動車２の周辺に電子キー１０が存在しない旨判断される。ＨＶＡＣコントローラ４１は、位置確認信号Ｓ２の返信があった場合、乗車予定時刻ｔ２に室温Ｔｎを希望室温Ｔ１にするべく、空調部４２を通じて空調を開始する。
【００３３】
車載制御部２１は、位置確認信号Ｓ２の受信がない場合、すなわち通信が不成立の場合、図５の右側に示すように、充電スタンド３０を介して電子キー１０の位置情報であるキー位置Ｐｋを取得する。ここで、充電スタンド３０は住宅に備えつけられている。また、事前空調の予約は、電気自動車２が充電可能状態のときに行われる。
【００３４】
図４に示すように、車載制御部２１は、電気自動車２の位置Ｐｎにキー位置Ｐｋを照らして、乗車予定時刻ｔ２に乗車できるか否か判断する。なお、キー位置Ｐｋ及び電気自動車２の位置Ｐｎの取得方法については後述する。
【００３５】
車載制御部２１は、キー位置Ｐｋ及び電気自動車２の位置Ｐｎ間の距離Ｄを開始予定時刻ｔ１から乗車予定時刻ｔ２までの所定時間Ｔ１０で割ることで、ユーザが乗車予定時刻ｔ２に乗車するために必要とされる平均速度Ｖａを算出する。すなわち、キー位置Ｐｋにいるユーザが平均速度Ｖａで電気自動車２の位置Ｐｎに向かった場合、乗車予定時刻ｔ２に乗車することができる。車載制御部２１は、平均速度Ｖａがメモリ２１ａに記憶されるしきい値Ｖｔｈを超えるか否か判断する。しきい値Ｖｔｈは、想定されるユーザの移動速度に基づき設定されている。例えば、平均的な歩行速度は２ｋｍ／ｈ〜４ｋｍ／ｈであることから、歩行の場合、５ｋｍ／ｈの速度で歩行することは想定しにくい。このため、歩行を想定した場合、例えば、しきい値Ｖｔｈを５ｋｍ／ｈに設定する。
【００３６】
車載制御部２１は、平均速度Ｖａがしきい値Ｖｔｈを超える場合には、乗車予定時刻ｔ２に乗車できないとして、乗車予定時刻ｔ２を延期する。なお、本例では、乗車予定時刻ｔ２の延期期間は、平均速度Ｖａに関わらず一定期間である。また、乗車予定時刻ｔ２が延期された場合、延期された乗車予定時刻ｔ２に基づき、再び、開始予定時刻ｔ１が算出され、算出された開始予定時刻ｔ１に電気自動車２及び電子キー１０間で通信が試みられる。車載制御部２１は、平均速度Ｖａがしきい値Ｖｔｈ以下の場合には、乗車予定時刻ｔ２に乗車できるとして、空調部４２を通じて室温Ｔｎを希望室温Ｔ１とする空調を開始する。
【００３７】
以上により、乗車予定時刻ｔ２に乗車しないのにも関わらず、乗車予定時刻ｔ２に合わせて空調が開始されることが抑制される。よって、事前空調に関する無駄な電力消費を抑制することができる。また、乗車時にユーザに快適な車内の空気環境を提供するとともに、電気自動車２の走行開始時には空調によるバッテリユニット２９の電力消費を低減することができる。
【００３８】
さらに、キー制御部１１には、入力装置１５と、ＧＰＳ（Global  Positioning  System）受信部１８と、ネット通信部１４とが電気的に接続されている。ＧＰＳ受信部１８は、複数の人工衛星から発信されるＧＰＳ情報を取得し、同ＧＰＳ情報をキー制御部１１に出力する。キー制御部１１は、ＧＰＳ情報に基づき、キー位置Ｐｋを判断する。
【００３９】
ネット通信部１４は、例えばＩＰ（Ｉｎｔｅｒｎｅｔ  Ｐｒｏｔｏｃｏｌ）通信網や携帯電話通信網等の外部の通信ネットワーク６１を介してサーバ６０と無線によるネットワーク通信が可能となっている。ネット通信部１４は、一定時間毎にキー位置Ｐｋを、通信ネットワーク６１を通じてサーバ６０に送信する。サーバ６０はキー位置Ｐｋに関する情報を記憶する。また、ネット通信部１４は、通信ネットワーク６１を通じてサーバ６０に記憶される住宅が存在する地域の温度情報を取得し、取得した温度情報をキー制御部１１に出力する。キー制御部１１は、温度情報に基づき電気自動車２の室温Ｔｎを推算する。
【００４０】
入力装置１５は、ＨＶＡＣシステム２７に備えられる入力装置４５と同様に、ユーザの操作により乗車予定時刻ｔ２及び希望室温Ｔ１の入力操作が行われる。また、キー制御部１１は、車載制御部２１と同様に、乗車予定時刻ｔ２、希望室温Ｔ１及び室温Ｔｎに基づき事前空調の開始予定時刻ｔ１を算出する。開始予定時刻ｔ１に達したとき、キー制御部１１は、送信部１３を介して、位置確認信号Ｓ２を送信する。すなわち、この位置確認信号Ｓ２により電子キー１０を中心として、通信エリア９０が形成される。そして、キー制御部１１は、位置確認信号Ｓ２に対して車載機２０からの位置確認信号Ｓ１を受信することで通信が成立したとき、電気自動車２が電子キー１０の周辺に存在する旨判断する。このとき、キー制御部１１は、送信部１３を通じて、希望室温Ｔ１を含む空調制御要求信号を送信する。車載機２０は、空調制御要求信号を受信すると、空調部４２を通じて室温Ｔｎを希望室温Ｔ１とする空調を開始する。これにより、乗車予定時刻ｔ２に室温Ｔｎが希望室温Ｔ１となる。
【００４１】
さらに、車載制御部２１には、ＧＰＳ受信部４８が電気的に接続されている。ＧＰＳ受信部４８は、複数の人工衛星から発信されるＧＰＳ情報を取得し、同ＧＰＳ情報を車載制御部２１に出力する。車載制御部２１は、ＧＰＳ情報に基づき、電気自動車２の位置Ｐｎを判断する。
【００４２】
また、電子キー１０は電気自動車２が充電可能状態であるか否かを認識できる。すなわち、充電ケーブル３７の抜き差しを通じて、充電可能状態となるとき、若しくは充電可能状態でなくなるとき、車載制御部２１は、車載送信部２３を通じて、その旨を含む信号を送信する。ここで、状態の切り替えは、充電ケーブル３７の接続により行われるため、このときには電子キー１０を携帯するユーザが車両周辺にいることが予想される。よって、同ユーザが携帯する電子キー１０は充電可能状態となった、若しくは充電可能状態でなくなった旨の信号を受信することにより、充電可能状態であるか否かを認識できる。
【００４３】
充電スタンド３０は、充電制御部３１と、ネット通信部３４と、入力装置３５と、ＰＬＣ（Power  Line  Communication）モデム３６とを備える。
ネット通信部３４は、電子キー１０に備えられるネット通信部１４と同様に、通信ネットワーク６１を介してサーバ６０と無線によるネットワーク通信が可能となっている。ネット通信部３４は、通信ネットワーク６１を介してサーバ６０に記憶されているキー位置Ｐｋを取得し、取得したキー位置Ｐｋを充電制御部３１に出力する。これにより、充電制御部３１は、キー位置Ｐｋを認識することができる。
【００４４】
電気自動車２と充電スタンド３０との間では、電力の授受のみならず、電力線を通信回線として利用するＰＬＣ通信（電力線搬送通信）が可能である。ＰＬＣモデム３６は、商用電源３９からの交流電力が供給される電力線３８に接続される。ＰＬＣモデム３６は、電力線３８に充電制御部３１からの情報を変調した高周波信号を交流電力に重畳するとともに、交流電力に重畳される高周波信号を復調し、この復調した信号を充電制御部３１に出力する。
【００４５】
充電スタンド３０と電気自動車２とは、充電ケーブル３７を介して着脱可能に接続される。商用電源３９からの交流電力は、充電ケーブル３７を通じて電気自動車２に送電される。電気自動車２は、ＰＬＣモデム３６との間でＰＬＣ通信を行うＰＬＣモデム２６と、充電ケーブル３７を通じて送電される電力を充電するバッテリユニット２９とを備える。ＰＬＣモデム２６は、充電ケーブル３７を通じて、電力が供給される車内の電力線４９に接続されている。そして、ＰＬＣモデム２６は、車載制御部２１からの情報を変調した高周波信号を交流電力に重畳するとともに、ＰＬＣモデム３６により重畳された高周波信号を復調し、この復調した信号を車載制御部２１に出力する。また、電力線４９にはバッテリユニット２９が接続されている。バッテリユニット２９は、交流電力及び直流電力間の双方向で電力変換するコンバータを備えるとともに、同変換した直流電力を充電する。このバッテリユニット２９に充電された電力は、電気自動車２の走行及び走行中における空調等に費やされる。
【００４６】
車載制御部２１は、温度センサ４３が検出した室温Ｔｎを、両ＰＬＣモデム２６，３６を介したＰＬＣ通信にて充電制御部３１に送信する。充電制御部３１は、室温Ｔｎを自身のメモリ３１ａに記憶する。また、充電制御部３１は、事前空調の開始予定時刻ｔ１までの時間Ｔ１１に達したか否かを測定するタイマ３１ｂを備える。
【００４７】
入力装置３５は、ＨＶＡＣシステム２７に備えられる入力装置４５と同様に、ユーザの操作により乗車予定時刻ｔ２及び希望室温Ｔ１の入力操作が行われる。また、充電制御部３１は、車載制御部２１と同様に、乗車予定時刻ｔ２、希望室温Ｔ１及び現在の室温Ｔｎに基づき事前空調の開始予定時刻ｔ１を算出する。そして、充電制御部３１は、開始予定時刻ｔ１までの時間Ｔ１１に達したとき、ＰＬＣ通信を通じて、電気自動車２にその旨を伝達する。
【００４８】
充電スタンド３０及び電気自動車２間で充電ケーブル３７が接続された時点で、ＰＬＣ通信が可能となる。このため、車載制御部２１及び充電制御部３１は、ＰＬＣ通信が可能となることで、充電可能状態を認識することができる。
【００４９】
以上のように、電気自動車２、電子キー１０及び充電スタンド３０にはそれぞれ入力装置１５，３５，４５が備えられている。この入力装置１５，３５，４５の操作に基づき電気自動車２、電子キー１０及び充電スタンド３０は、各自の制御プログラムに従って、互いに通信を行いつつ、事前空調の開始予定時刻ｔ１が適正であるかを判断する。
【００５０】
各入力装置１５，３５，４５により乗車予定時刻ｔ２及び希望室温Ｔ１が入力された場合に、電気自動車２、電子キー１０及び充電スタンド３０（正確にはそれらの制御部１１，２１，３１）が実行する各制御プログラムについて順番に説明する。なお、各制御プログラムは、充電ケーブル３７を通じて充電スタンド３０及び電気自動車２が接続されている充電可能状態のとき実行される。
【００５１】
まず、車載制御部２１が実行する制御プログラムについて、図６のフローチャートを参照しつつ説明する。当該制御プログラムは、メモリ２１ａに格納されている。
入力装置４５からの操作信号を通じて、乗車予定時刻ｔ２及び希望室温Ｔ１が認識される（Ｓ１０１）。次に、温度センサ４３を通じて現在の室温Ｔｎが認識される（Ｓ１０２）。乗車予定時刻ｔ２、希望室温Ｔ１及び現在の室温Ｔｎに基づき、事前空調の開始予定時刻ｔ１が算出される（Ｓ１０３）。そして、タイマ２１ｂを通じて、時間ｔの計測が開始される（Ｓ１０４）。この時間ｔが同時間ｔの計測を開始した時刻から開始予定時刻ｔ１までの時間Ｔ１１に達するのを待って（Ｓ１０５でＮＯ）、時間ｔが時間Ｔ１１に達したとき（Ｓ１０５でＹＥＳ）、位置確認信号Ｓ１が送信される（Ｓ１０６）。そして、この位置確認信号Ｓ１に対して、電子キー１０から送信される位置確認信号Ｓ２の受信があるか否かが判断される（Ｓ１０７）。
【００５２】
位置確認信号Ｓ２の受信があった場合（Ｓ１０７でＹＥＳ）には、乗車予定時刻ｔ２に室温Ｔｎを希望室温Ｔ１とするべく、事前空調が開始される（Ｓ１０８）。この事前空調には、充電ケーブル３７を通じて商用電源３９から供給される電力が使用される。従って、事前空調によりバッテリユニット２９の電力が消費されることはない。そして、事前空調が開始された旨の情報信号が電子キー１０に送信される（Ｓ１０９）。これにより、電子キー１０は事前空調が開始された旨を認識できる。これにて、制御プログラムが終了される。
【００５３】
一方、位置確認信号Ｓ２の受信がない場合（Ｓ１０７でＮＯ）には、充電スタンド３０を通じてキー位置Ｐｋ及びＧＰＳ受信部４８を通じて電気自動車２の位置Ｐｎが取得される（Ｓ１１０）。キー位置Ｐｋ及び電気自動車２の位置Ｐｎに基づき、両位置Ｐｋ，Ｐｎ間の距離Ｄ、さらに距離Ｄを所定時間Ｔ１０で割ることでの平均速度Ｖａが算出される（Ｓ１１１）。そして、平均速度Ｖａがしきい値Ｖｔｈを超えるか否か判断される（Ｓ１１２）。平均速度Ｖａがしきい値Ｖｔｈ以下の場合（Ｓ１１２でＮＯ）、乗車予定時刻ｔ２に乗車できるとして、ステップＳ１０８の処理に移行して、事前空調の制御が開始される。平均速度Ｖａがしきい値Ｖｔｈを超える場合（Ｓ１１２でＹＥＳ）、乗車予定時刻ｔ２に乗車できないとして、乗車予定時刻ｔ２が延期される（Ｓ１１３）。そして、延期された旨を含む情報信号が電子キー１０に送信される（Ｓ１０９）。これにより、電子キー１０は乗車予定時刻ｔ２が延期された旨を認識できる。これにて、制御プログラムが終了される。
【００５４】
以上の制御プログラムによれば、乗車予定時刻ｔ２に乗車しないのにも関わらず、乗車予定時刻ｔ２に合わせて、開始予定時刻ｔ１に空調が開始されることが抑制される。よって、事前空調に関する無駄な電力消費を抑制することができる。
【００５５】
また、電気自動車２及び電子キー間の距離Ｄではなく、平均速度Ｖａをしきい値Ｖｔｈと比較することで、より正確に乗車予定時刻ｔ２にユーザが乗車できるか否かが判断できる。具体的には、室温Ｔｎと希望室温Ｔ１との温度差が大きくなるにつれて、事前空調に要する所定時間Ｔ１０は大きくなるところ、時間Ｔ１１に達するタイミングが早くなる。従って、乗車予定時刻ｔ２に乗車する意思があるものの、このタイミングにおいては、ユーザは電気自動車２から遠く離れている状況も想定される。このため、電気自動車２及び電子キー間の距離Ｄでは、乗車予定時刻ｔ２にユーザが乗車できるか否かの判断が正しくできない場合がある。この点、本例では距離Ｄを所定時間Ｔ１０で割ることで算出される平均速度Ｖａに基づき判断されるため、正確な判断が可能となる。
【００５６】
次に、キー制御部１１が実行する制御プログラムについて、図７のフローチャートを参照しつつ説明する。当該制御プログラムは、メモリ１１ａに格納されている。
まず、先の図６に示したステップＳ１０１〜Ｓ１０５と同じ処理が実行される。なお、本プログラムにおけるステップＳ１０２においては、室温Ｔｎは取得された温度情報に基づき推算されることで認識される。ステップＳ１０５において、時間ｔが同時間ｔの計測を開始した時刻から開始予定時刻ｔ１までの時間Ｔ１１に達したとき（Ｓ１０５でＹＥＳ）、位置確認信号Ｓ２が送信され（Ｓ１２１）、電気自動車２から送信される位置確認信号Ｓ１の受信があるか否かが判断される（Ｓ１２２）。位置確認信号Ｓ１を受信した場合（Ｓ１２２でＹＥＳ）、空調制御要求信号が送信される（Ｓ１２３）。空調制御要求信号を受信した車載機２０は室温Ｔｎを希望室温Ｔ１とする空調を開始する。これにて、制御プログラムが終了される。
【００５７】
位置確認信号Ｓ１を受信しない場合（Ｓ１２２でＮＯ）、図６のステップＳ１１０以降の処理を要求する旨の指令信号がネット通信部１４を通じて充電スタンド３０に送信される（Ｓ１２４）。これにて、制御プログラムが終了される。当該指令信号は、充電スタンド３０からＰＬＣ通信を通じて電気自動車２の車載制御部２１に送信される。車載制御部２１は、キー制御部１１からの指令信号を受けて、図６のステップＳ１１０以降の処理を実行する。これにより、上述した車載制御部２１が実行する制御プログラムと同様の効果が得られる。
【００５８】
次に、充電制御部３１が実行する制御プログラムについて、図８のフローチャートを参照しつつ説明する。当該制御プログラムは、メモリ３１ａに格納されている。なお、本プログラムにおけるステップＳ１０２においては、室温ＴｎはＰＬＣ通信を通じて認識される。
【００５９】
まず、先の図６に示したステップＳ１０１〜Ｓ１０５と同じ処理が実行される。ステップＳ１０５において、時間ｔが時間Ｔ１１に達したとき（Ｓ１０５でＹＥＳ）、ＰＬＣ通信を通じて電気自動車２に時間Ｔ１１に達した旨通知され（Ｓ１３１）、制御プログラムが終了される。当該通知を受けた電気自動車２における車載制御部２１は、図６のステップＳ１０６以降の処理を開始する。これにより、上述した車載制御部２１が実行する制御プログラムと同様の効果が得られる。
【００６０】
さらに、パソコン、携帯電話等の外部通信装置により事前空調の予約が可能である。具体的には、ユーザは、外部通信装置からサーバ６０にアクセスして、乗車予定時刻ｔ２及び希望室温Ｔ１を入力する。サーバ６０は、乗車予定時刻ｔ２、希望室温Ｔ１及び現在の室温Ｔｎに基づき事前空調の開始予定時刻ｔ１を算出する。そして、サーバ６０は、時間Ｔ１１に達した時点で通信ネットワーク６１を通じて、その旨を充電スタンド３０に伝える。充電制御部３１は時間Ｔ１１に達した旨を認識すると、ＰＬＣ通信を通じてその旨を電気自動車２に伝える。車載制御部２１は、その旨を認識すると、電子キー１０を携帯するユーザが電気自動車２の周辺に存在するか否か両位置確認信号Ｓ１，Ｓ２の送受信により認識する。すなわち、図６のステップＳ１０６以降と同様の処理を行う。これにより、上述した車載制御部２１が実行する制御プログラムと同様の効果が得られる。
【００６１】
以上のように、電気自動車２、電子キー１０、充電スタンド３０及び外部通信装置、何れからでも事前空調の予約ができるため、利便性が高い。
以上、説明した実施形態によれば、以下の作用効果を奏することができる。
【００６２】
（１）入力装置１５，４５の操作を通じて、乗車予定時刻ｔ２が入力される。例えば、電気自動車２の入力装置４５により乗車予定時刻ｔ２が入力された場合、車載制御部２１は、乗車予定時刻ｔ２等に基づき開始予定時刻ｔ１を算出する。車載制御部２１は、時間Ｔ１１に達したとき、位置確認信号Ｓ１の送信を通じて、電子キー１０との通信が成立するか否か、すなわち、ユーザに携帯される電子キー１０が通信エリア９０に存在するか否かを判断する。ここで、通信エリア９０は、ユーザが乗車予定時刻ｔ２に乗車可能な電子キー１０及び電気自動車２間の距離Ｄを基準に設定されている。車載制御部２１は、通信が成立した場合、ユーザが通信エリア９０内にいて乗車予定時刻ｔ２に乗車できるとして、空調制御を実行する。また、車載制御部２１は通信が成立しない場合、ユーザに携帯される電子キー１０が通信エリア９０内に存在しない、すなわち、乗車予定時刻ｔ２に乗車できないとして、開始予定時刻ｔ１を延期する。
【００６３】
このように、乗車予定時刻ｔ２にユーザが乗車できない場合には、開始予定時刻ｔ１における空調の開始予定時刻ｔ１を延期することで、乗車予定時刻ｔ２の適正化が図られる。従って、ユーザが乗車しないにも関わらず予め入力された乗車予定時刻ｔ２に合わせて、空調が行われることが抑制される。これにより、乗車前の空調による電力消費を抑制することができる。
【００６４】
（２）事前空調は、商用電源３９からの電力により実行される。よって、事前空調によるバッテリユニット２９の電力消耗を防止できる。さらに、電気自動車２の走行開始時においては、すでに空調は完了しているため空調に費やすバッテリユニット２９の電力を低減することができるため、空調による電力消費が電気自動車２の走行に与える影響を最小限にすることができる。
【００６５】
（３）開始予定時刻ｔ１において電気自動車２及び電子キー１０間の通信が成立しないとき、サーバ６０を通じて取得されるキー位置ＰｋとＧＰＳ受信部４８を通じて取得される電気自動車２の位置Ｐｎとに基づき、乗車予定時刻ｔ２に乗車できない旨判断される場合、乗車予定時刻ｔ２が延期される。
【００６６】
このように、電気自動車２及び電子キー１０間で通信が成立しない場合であれ、電子キー１０の位置が認識可能であるため、電子キー１０の位置に適して乗車予定時刻ｔ２が延期等される。よって、さらなる乗車予定時刻ｔ２の適正化、ひいては乗車前の空調による電力消費を抑制することができる。
【００６７】
（４）充電スタンド３０における入力装置３５にて乗車予定時刻ｔ２が入力されると、充電制御部３１により同乗車予定時刻ｔ２等に基づき開始予定時刻ｔ１が算出される。そして、時間ｔを計測し、同時間ｔの計測を開始した時刻から開始予定時刻ｔ１までの時間Ｔ１１に達したとき、ＰＬＣ通信にて電気自動車２にその旨が伝達され、電気自動車２にて空調が開始される。このように、電気自動車２及び電子キー１０のみならず、充電スタンド３０にて乗車予定時刻ｔ２の入力が可能となることで、利便性が向上する。
【００６８】
なお、上記実施形態は、これを適宜変更した以下の形態にて実施することができる。
・上記実施形態においては、現在の室温Ｔｎ及び希望室温Ｔ１に基づき、事前空調の開始予定時刻ｔ１が算出されていた。しかし、さらに、車室外の温度を取得して、現在の室温Ｔｎ、希望室温Ｔ１及び車室外の温度に基づき、開始予定時刻ｔ１が算出されてもよい。従って、例えば、前回乗車時における空調により、室温Ｔｎと車室外の温度との間に大きな温度差がある場合であっても、それを加味して開始予定時刻ｔ１が算出される。これにより、開始予定時刻ｔ１の精度を向上させることができる。車室外の温度は温度センサ４３を通じて取得されてもよいし、ネット通信部１４，３４を通じて取得された温度情報に基づき推算されてもよい。
【００６９】
また、室温Ｔｎ及び車室外の温度は刻々と変化するため、それら温度を所定周期毎（例えば１時間毎）に取得し、開始予定時刻ｔ１を修正することで、開始予定時刻ｔ１の精度をより高めることができる。
【００７０】
さらに、ネット通信部１４，３４を介して季節、日射状況及び天気予報などの情報を取得し、その情報を加味して開始予定時刻ｔ１を算出することで、開始予定時刻ｔ１の精度をいっそう高めることができる。
【００７１】
・上記実施形態においては、電気自動車２の位置Ｐｎは、ＧＰＳ受信部４８を通じて、取得されていた。しかし、電気自動車２の位置Ｐｎは予め設定されていてもよい。ここで、事前空調は電気自動車２が充電可能状態のときに行われる。これに鑑みて、電気自動車２の位置Ｐｎを充電スタンド３０又は住宅の位置に設定することができる。この場合、ＧＰＳ受信部４８を省略することができる。
【００７２】
・上記実施形態においては、歩行を想定して、しきい値Ｖｔｈは５ｋｍ／ｈに設定されていた。しかし、しきい値Ｖｔｈは、移動手段に応じて大きく異なるところ、予想される移動手段に応じて設定することが好ましい。
【００７３】
・上記実施形態においては、電子キー１０はサーバ６０に記憶される住宅が存在する地域の温度情報に基づき、電気自動車２の室温Ｔｎを推算していた。しかし、電子キー１０は電気自動車２からの室温Ｔｎを含む情報信号の送信により、室温Ｔｎを認識してもよい。
【００７４】
・上記実施形態においては、ＰＬＣ通信にて電気自動車２及び充電スタンド３０間の通信が行われていたが、電気自動車２及び充電スタンド３０間で通信可能であればＰＬＣ通信でなくてもよい。充電ケーブル３７において、電力供給線と、信号線とを分けて設けて、信号線にて電気自動車２及び充電スタンド３０間の通信を行ってもよい。
【００７５】
・上記実施形態においては、車載制御部２１が平均速度Ｖａを算出して、同平均速度Ｖａとしきい値Ｖｔｈとの比較を行っていた。しかし、キー制御部１１が平均速度Ｖａを算出し、同平均速度Ｖａとしきい値Ｖｔｈとの比較を行って、乗車予定時刻ｔ２の延期等の判断をしてもよい。この判断結果は、充電スタンド３０を通じて、電気自動車２に伝えられる。
【００７６】
・上記実施形態においては、現在の室温Ｔｎ及び希望室温Ｔ１に基づき事前空調に要する所定時間Ｔ１０を算出していた。しかし、現在の室温Ｔｎ及び希望室温Ｔ１に関わらず、乗車予定時刻ｔ２の一定時間前に事前空調を開始してもよい。この場合、現在の室温Ｔｎの取得が不要になるとともに、開始予定時刻ｔ１の算出に係る処理を低減することができる。
【００７７】
・上記実施形態においては、事前の空調を予約する機能が車両ドアの施解錠を可能とする電子キー１０に搭載されていたが、車両用空調システムにおいて電子キーとは別に事前の空調を予約する携帯機を備えていてもよい。
【００７８】
・上記実施形態においては、電気自動車２が形成する通信エリア９０に電子キー１０が存在するか否かのみが判断されていた。しかし、通信エリア９０内において、電子キー１０の位置を位置確認信号Ｓ２の信号強度に基づき判断してもよい。この場合、例えば、通信エリア９０内であっても、位置確認信号Ｓ２の信号強度が弱いとき、ユーザが電気自動車２から遠く離れていると判断できるため、乗車予定時刻ｔ２に乗車できない等、より正確な判断が可能となる。なお、電子キー１０が形成する通信エリア９０において電気自動車２が送信する位置確認信号Ｓ１についても同様に信号強度に基づき、電気自動車２の位置を判断可能である。
【００７９】
・上記実施形態においては、電気自動車２は充電スタンド３０にて充電されていた。しかし、充電スタンド３０ではなく一般的な住宅用のコンセントから充電されてもよい。この場合、例えば、ＰＬＣモデム３６、充電制御部３１、ネット通信部３４及び入力装置３５が一体化されたモジュールをコンセントに差し込み、同モジュールから充電ケーブル３７を通じて電気自動車２に充電可能とされることで、充電スタンド３０と同様の構成となり、上記実施形態と同様の作用効果が得られる。
【００８０】
・上記実施形態においては、乗車予定時刻ｔ２の延期期間は一定であったが、平均速度Ｖａに応じて、延長期間を決定してもよい。すなわち、平均速度Ｖａが大きいほど、延期期間は長く設定される。
【００８１】
・上記実施形態においては、平均速度Ｖａがしきい値Ｖｔｈを超える場合、乗車予定時刻ｔ２が延期されていた。しかし、しきい値Ｖｔｈより大きい新たなしきい値を設定して、新たなしきい値を超える場合には、事前空調を中止してもよい。この新たなしきい値は、乗車予定時刻ｔ２を延期したとしても、延期した乗車予定時刻ｔ２にも乗車が不能なことが予想される平均速度Ｖａを基準に設定される。これにより、乗車予定時刻ｔ２の延期が繰り返すことが防止され、それに係る処理を省略できる。
【００８２】
・上記実施形態においては、キー位置Ｐｋ及び電気自動車２の位置Ｐｎ間の距離Ｄを所定時間Ｔ１０で割った平均速度Ｖａに基づき、乗車予定時刻ｔ２に乗車できるか否か判断されていた。しかし、乗車予定時刻ｔ２に乗車できるか否かの判断手法は平均速度Ｖａに限らない。例えば、キー位置Ｐｋ及び電気自動車２の位置Ｐｎ間の距離Ｄを基準に判断してもよいし、キー位置Ｐｋにおける場所、例えば、会社にいる等判断して、そこから交通機関等の移動手段を使った所要時間で乗車予定時刻ｔ２に乗車できるか否か判断してもよい。また、予め場所と、その場所から電気自動車２が駐車されている住宅までの所要時間とを設定しておいてもよい。
【００８３】
また、例えば、車載制御部２１は、充電スタンド３０を通じて、電子キー１０の位置情報を所定時間毎に取得して、ユーザの行動を記憶してもよい。この場合には、過去のユーザの行動パターンに基づき、ユーザが乗車予定時刻ｔ２に乗車できるか否かが判断される。
【００８４】
・上記実施形態においては、車両用空調システムは、電気自動車２と、電子キー１０と、充電スタンド３０と、サーバ６０とを備えていた。しかし、充電スタンド３０と、サーバ６０とを省略してもよい。この場合であっても、時間Ｔ１１に達したとき、電気自動車２及び電子キー１０間で位置確認信号Ｓ１，Ｓ２の送受信による通信が成立するか否かで事前空調を延期するか否かが判断される。ここで、例えば、電子キー１０の入力装置１５にて乗車予定時刻ｔ２が入力された場合に、開始予定時刻ｔ１に電気自動車２との通信が成立しないときには、乗車予定時刻ｔ２が延期された旨を電気自動車２に伝達する手段はない。しかし、電気自動車２はそもそも乗車予定時刻ｔ２も認識していないところ、事前空調を実行することはない。また、延期された乗車予定時刻ｔ２に基づき算出される開始予定時刻ｔ１に電子キー１０が電気自動車２との通信を試みて、通信が成立したときに事前空調が実行されればよい。これにより、上記実施形態と同様、事前空調による電力消費を抑制することができる。なお、本構成においては、電気自動車２は、ガソリンで走行する車両であってもよく、また、電子キー１０において、ＧＰＳ受信部１８及びネット通信部１４を、車両においてＰＬＣモデム２６及びバッテリユニット２９を省略可能である。さらに、電気自動車２及び電子キー１０からなるシステムにおいて、入力装置１５，４５の何れか一方を省略してもよい。
【００８５】
次に、前記実施形態から把握できる技術的思想をその効果と共に記載する。
（イ）請求項３又は４に記載の車両用空調システムにおいて、前記充電装置は車両が保管される場所に設けられ、自車両の位置は充電装置の位置に設定される車両用空調システム。
【００８６】
同構成によれば、充電装置は住宅や会社等の車両が通常保管される場所に設置されることが多い。よって、充電装置が設置される位置を自車両の位置として、同位置と携帯機の位置とに基づき、乗車予定時刻に乗車できるか否かの判断、ひいては開始予定時刻の適正化が可能となる。
【００８７】
（ロ）請求項１〜４、（イ）に記載の車両用空調システムにおいて、前記入力装置が設けられる前記車両は現在の室温を検出する温度センサを備え、前記入力装置にて乗車時における希望室温を入力し、前記制御装置は、現在の室温と希望室温とに基づき、開始予定時刻を算出する車両用空調システム。
【００８８】
同構成によれば、現在の室温及び希望室温に基づき開始予定時刻が算出されるため、開始予定時刻が正確となり、より事前空調による電力消費を低減できる。
【符号の説明】
【００８９】
２…電気自動車、１０…電子キー（携帯機）、１１…キー制御部（制御装置）、１４、３４…ネット通信部、１５、３５、４５…入力装置、１８、４８…ＧＰＳ受信部（位置情報取得部）、２０…車載機、２１…車載制御部（制御装置）、２６、３６…ＰＬＣモデム、２７…ＨＶＡＣシステム、２９…バッテリユニット、３０…充電スタンド（充電装置）、３１…充電制御部（制御装置）、３７…充電ケーブル、３９…商用電源、４１…ＨＶＡＣコントローラ、４３…温度センサ。
【図１】
2011148325.tif 000003
【図２】
2011148325.tif 000004
【図３】
2011148325.tif 000005
【図４】
2011148325.tif 000006
【図５】
2011148325.tif 000007
【図６】
2011148325.tif 000008
【図７】
2011148325.tif 000009
【図８】
2011148325.tif 000010